(57)【特許請求の範囲】
【請求項１】
遊技台に対応して設けられる各台対応装置であって、
自装置に対応する遊技台で遊技者が獲得した遊技媒体を計数処理する計数手段と、
前記計数手段による計数処理を有効とする計数有効モードおよび計数処理を無効とする計数無効モードのモード間遷移を行うモード間遷移手段と、
所定の通知を受け付けた場合に、前記モード間遷移手段に対して前記計数有効モードから前記計数無効モードへ遷移するように指示し、前記計数手段が遊技媒体を計数処理中である場合には、前記モード間遷移手段に対して前記計数有効モードから前記計数無効モードへの遷移を保留する保留モードへ遷移するように指示する指示手段と
を備えたことを特徴とする各台対応装置。
【請求項２】
前記指示手段は、
前記計数手段が遊技媒体の計数処理を完了し、かつ、自装置に対応する遊技台の特賞状態が終了した場合には、前記モード間遷移手段に対して前記保留モードから前記計数無効モードへ遷移するように指示することを特徴とする請求項１に記載の各台対応装置。
【請求項３】
遊技台ごとに設けられる各台対応装置と前記各台対応装置を管理する管理装置とを有する計数制御システムであって、
前記管理装置は、
前記各台対応装置に対して所定の通知を行う通知手段
を備え、
前記各台対応装置は、
自装置に対応する遊技台で遊技者が獲得した遊技媒体を計数処理する計数手段と、
前記計数手段による計数処理を有効とする計数有効モードおよび計数処理を無効とする計数無効モードのモード間遷移を行うモード間遷移手段と、
前記管理装置の前記通知手段から所定の通知を受け付けた場合に、前記モード間遷移手段に対して前記計数有効モードから前記計数無効モードへ遷移するように指示し、前記計数手段が遊技媒体を計数処理中である場合には、前記モード間遷移手段に対して前記計数有効モードから前記計数無効モードへの遷移を保留する保留モードへ遷移するように指示する指示手段と
を備えたことを特徴とする計数制御システム。
【請求項４】
前記各台対応装置の前記指示手段は、
前記計数手段が遊技媒体の計数処理を完了し、かつ、自装置に対応する遊技台の特賞状態が終了した場合には、前記モード間遷移手段に対して前記保留モードから前記計数無効モードへ遷移するように指示することを特徴とする請求項３に記載の計数制御システム。
【請求項５】
前記各台対応装置の前記指示手段は、
前記管理装置との接続が切断された状態を示すオフライン状態となった場合、遊技店が開店することを示す開店通知を前記管理装置から受けた場合、または、自装置が前記計数無効モードを解除する旨の操作を受け付けた場合には、前記計数無効モードから前記計数有効モードへ遷移するように指示することを特徴とする請求項３または４に記載の計数制御システム。
【請求項６】
前記管理装置の前記通知手段が前記各台対応装置に対して行う前記所定の通知は、
遊技店が閉店することを示す閉店通知または前記計数無効モードへの遷移通知であることを特徴とする請求項３〜５のいずれか一つに記載の計数制御システム。
【請求項７】
前記管理装置は、
前記各台対応装置ごとに前記計数無効モードへの遷移を行うか否かを定義した定義情報を記憶する定義情報記憶手段をさらに備え、
前記通知手段は、
前記定義情報において前記計数無効モードへの遷移を行う旨が定義された前記各台対応装置のみに対して前記所定の通知を行うことを特徴とする請求項３〜６のいずれか一つに記載の計数制御システム。
【請求項８】
遊技台に対応して設けられる各台対応装置と前記各台対応装置を管理する管理装置とで計数制御を行う計数制御方法であって、
前記各台対応装置に対して前記管理装置が所定の通知を行う通知工程と、
自装置に対応する遊技台で遊技者が獲得した遊技媒体を前記各台対応装置が計数処理する計数工程と、
前記計数工程による計数処理を有効とする計数有効モードおよび計数処理を無効とする計数無効モードのモード間遷移を前記各台対応装置が行うモード間遷移工程と、
前記通知工程による所定の通知を受け付けた場合に、前記モード間遷移工程に対して前記計数有効モードから前記計数無効モードへ遷移するように前記各台対応装置が指示し、前記計数工程により遊技媒体を計数処理中である場合には、前記モード間遷移工程において前記計数有効モードから前記計数無効モードへの遷移を保留する保留モードへ遷移するように指示する指示工程と
を含んだことを特徴とする計数制御方法。
【発明の詳細な説明】
【技術分野】
【０００１】
この発明は、遊技台ごとに設けられる各台対応装置、遊技台ごとに設けられる各台対応装置と各台対応装置を管理する管理装置とを有する計数制御システムおよび計数制御方法に関し、特に、各台計数方式を採用した場合に、拾い玉回収作業を効率良く行うことができる各台対応装置、計数制御システムおよび計数制御方法に関するものである。
【背景技術】
【０００２】
従来から、パチンコ店などの遊技店に設置されるパチンコ機やパチスロ機といった遊技機と並設され、パチンコ玉やメダルといった遊技媒体を貸し出す貸出処理機（以下、「台間装置」と記載する）が知られている。また、遊技機において遊技者が獲得した遊技媒体の数量を各台間装置と接続された計数部が計数する、いわゆる各台計数方式も知られてきた（たとえば、特許文献１参照）。
【０００３】
かかる各台計数方式に対応した台間装置では、計数部に投入された遊技媒体の数量（以下、「計数値」と記載する）を計数し、ＩＣ（Integrated  Circuit）カードなどの情報記憶が可能なカードに対して計数値を記録するなどの処理を行う。
【０００４】
【特許文献１】特開２００７−２２９１１１号公報
【発明の開示】
【発明が解決しようとする課題】
【０００５】
しかしながら、各台計数方式を採用した台間装置では、遊技店の営業時間終了後に行われる拾い玉回収作業において、係員が計数部に拾い玉を投入すると、拾い玉を計数してしまいエラー発生の要因となるという問題がある。
【０００６】
具体的には、台間装置を管理する管理装置が、各台間装置を閉店状態へ移行させる閉店処理や、各台間装置を開店状態へ移行させる開店処理を行うと、拾い玉の計数結果が残っている台間装置を、遊技客による「取り忘れ玉」が残留した台間装置と判定してエラー処理が実施されてしまう。
【０００７】
なお、拾い玉回収作業で、係員が拾い玉を本来回収すべき場所（たとえば、パチンコ島内に形成された遊技玉の回収経路）に投入することとすれば、上記した問題は発生しないものの、拾い玉回収作業の効率が悪化するため好ましくない。
【０００８】
これらのことから、各台計数方式を採用した場合に、拾い玉回収作業を効率良く行うことができる台間装置、計数制御システムあるいは計数制御方法をいかにして実現するかが大きな課題となっている。
【０００９】
この発明は、上述した従来技術による問題点を解消するためになされたものであって、各台計数方式を採用した場合に、拾い玉回収作業を効率良く行うことができる台間装置などの各台対応装置、計数制御システムおよび計数制御方法を提供することを目的とする。
【課題を解決するための手段】
【００１０】
上述した課題を解決し、目的を達成するため、本発明は、遊技台に対応して設けられる各台対応装置であって、自装置に対応する遊技台で遊技者が獲得した遊技媒体を計数処理する計数手段と、前記計数手段による計数処理を有効とする計数有効モードおよび計数処理を無効とする計数無効モードのモード間遷移を行うモード間遷移手段と、所定の通知を受け付けた場合に、前記モード間遷移手段に対して前記計数有効モードから前記計数無効モードへ遷移するように指示し、前記計数手段が遊技媒体を計数処理中である場合には、前記モード間遷移手段に対して前記計数有効モードから前記計数無効モードへの遷移を保留する保留モードへ遷移するように指示する指示手段とを備えたことを特徴とする。
【００１２】
また、本発明は、上記の発明において、前記指示手段は、前記計数手段が遊技媒体の計数処理を完了し、かつ、自装置に対応する遊技台の特賞状態が終了した場合には、前記モード間遷移手段に対して前記保留モードから前記計数無効モードへ遷移するように指示することを特徴とする。
【００１３】
また、本発明は、遊技台ごとに設けられる各台対応装置と前記各台対応装置を管理する管理装置とを有する計数制御システムであって、前記管理装置は、前記各台対応装置に対して所定の通知を行う通知手段を備え、前記各台対応装置は、自装置に対応する遊技台で遊技者が獲得した遊技媒体を計数処理する計数手段と、前記計数手段による計数処理を有効とする計数有効モードおよび計数処理を無効とする計数無効モードのモード間遷移を行うモード間遷移手段と、前記管理装置の前記通知手段から所定の通知を受け付けた場合に、前記モード間遷移手段に対して前記計数有効モードから前記計数無効モードへ遷移するように指示し、前記計数手段が遊技媒体を計数処理中である場合には、前記モード間遷移手段に対して前記計数有効モードから前記計数無効モードへの遷移を保留する保留モードへ遷移するように指示する指示手段とを備えたことを特徴とする。
【００１５】
また、本発明は、上記の発明において、前記各台対応装置の前記指示手段は、前記計数手段が遊技媒体の計数処理を完了し、かつ、自装置に対応する遊技台の特賞状態が終了した場合には、前記モード間遷移手段に対して前記保留モードから前記計数無効モードへ遷移するように指示することを特徴とする。
【００１６】
また、本発明は、上記の発明において、前記各台対応装置の前記指示手段は、前記管理装置との接続が切断された状態を示すオフライン状態となった場合、遊技店が開店することを示す開店通知を前記管理装置から受けた場合、または、自装置が前記計数無効モードを解除する旨の操作を受け付けた場合には、前記計数無効モードから前記計数有効モードへ遷移するように指示することを特徴とする。
【００１７】
また、本発明は、上記の発明において、前記管理装置の前記通知手段が前記各台対応装置に対して行う前記所定の通知は、遊技店が閉店することを示す閉店通知または前記計数無効モードへの遷移通知であることを特徴とする。
【００１８】
また、本発明は、上記の発明において、前記管理装置は、前記各台対応装置ごとに前記計数無効モードへの遷移を行うか否かを定義した定義情報を記憶する定義情報記憶手段をさらに備え、前記通知手段は、前記定義情報において前記計数無効モードへの遷移を行う旨が定義された前記各台対応装置のみに対して前記所定の通知を行うことを特徴とする。
【００１９】
また、本発明は、遊技台に対応して設けられる各台対応装置と前記各台対応装置を管理する管理装置とで計数制御を行う計数制御方法であって、前記各台対応装置に対して前記管理装置が所定の通知を行う通知工程と、自装置に対応する遊技台で遊技者が獲得した遊技媒体を前記各台対応装置が計数処理する計数工程と、前記計数工程による計数処理を有効とする計数有効モードおよび計数処理を無効とする計数無効モードのモード間遷移を前記各台対応装置が行うモード間遷移工程と、前記通知工程による所定の通知を受け付けた場合に、前記モード間遷移工程に対して前記計数有効モードから前記計数無効モードへ遷移するように前記各台対応装置が指示し、前記計数工程により遊技媒体を計数処理中である場合には、前記モード間遷移工程において前記計数有効モードから前記計数無効モードへの遷移を保留する保留モードへ遷移するように指示する指示工程とを含んだことを特徴とする。
【発明の効果】
【００２０】
本発明によれば、自装置に対応する遊技台で遊技者が獲得した遊技媒体を計数処理し、計数処理を有効とする計数有効モードおよび計数処理を無効とする計数無効モードのモード間遷移を行うこととしたうえで、所定の通知を受け付けた場合に、前記計数有効モードから前記計数無効モードへ遷移するように指示することとしたので、各台対応装置に対する直接的な指示で計数無効モードへ遷移させることで、拾い玉回収作業を効率良く行うことができるという効果を奏する。特に、遊技媒体を計数処理中である場合には、計数有効モードから計数無効モードへの遷移を保留する保留モードへ遷移するように指示することとしたので、遊技媒体の計数処理中に、誤って計数無効モードへ遷移させることを防止することができる。
【００２２】
また、本発明によれば、遊技媒体の計数処理を完了し、かつ、自装置に対応する遊技台の特賞状態が終了した場合には、保留モードから計数無効モードへ遷移するように指示することとしたので、自動的に保留モードから計数無効モードへ遷移することで、係員の労力を軽減することができるという効果を奏する。
【００２３】
また、本発明によれば、管理装置は、各台対応装置に対して所定の通知を行い、各台対応装置は、自装置に対応する遊技台で遊技者が獲得した遊技媒体を計数処理し、計数処理を有効とする計数有効モードおよび計数処理を無効とする計数無効モードのモード間遷移を行うこととしたうえで、管理装置から所定の通知を受け付けた場合に、計数有効モードから計数無効モードへ遷移するように指示することとしたので、管理装置からの指示で各台対応装置を計数無効モードへ遷移させることによって、拾い玉回収作業を効率良く行うことができるという効果を奏する。特に、遊技媒体を計数処理中である場合には、計数有効モードから計数無効モードへの遷移を保留する保留モードへ遷移するように指示することとしたので、遊技媒体の計数処理中に、誤って計数無効モードへ遷移させることを防止することができる。
【００２５】
また、本発明によれば、遊技媒体の計数処理を完了し、かつ、自装置に対応する遊技台の特賞状態が終了した場合には、保留モードから計数無効モードへ遷移するように指示することとしたので、自動的に保留モードから計数無効モードへ遷移することで、係員の労力を軽減することができるという効果を奏する。
【００２６】
また、本発明によれば、管理装置との接続が切断された状態を示すオフライン状態となった場合、遊技店が開店することを示す開店通知を管理装置から受けた場合、または、自装置が計数無効モードを解除する旨の操作を受け付けた場合には、計数無効モードから計数有効モードへ遷移するように指示することとしたので、計数無効モードの各台対応装置が残留することを防止することができるという効果を奏する。
【００２７】
また、本発明によれば、管理装置が各台対応装置に対して行う所定の通知は、遊技店が閉店することを示す閉店通知または計数無効モードへの遷移通知であることとしたので、各台対応装置に対する計数無効モードへの遷移指示を効率良く行うことができるという効果を奏する。
【００２８】
また、本発明によれば、管理装置は、各台対応装置ごとに計数無効モードへの遷移を行うか否かを定義した定義情報を記憶し、定義情報において計数無効モードへの遷移を行う旨が定義された各台対応装置のみに対して所定の通知を行うこととしたので、遊技店の運用形態に柔軟に対応することができるという効果を奏する。
【発明を実施するための最良の形態】
【００３０】
以下に添付図面を参照して、本発明に係る計数制御手法の好適な実施例を詳細に説明する。なお、以下では、本発明に係る計数制御手法の概要について図１を用いて説明した後に、本発明に係る計数制御手法を適用した計数制御システムについての実施例を図２〜図８を用いて説明することとする。
【００３１】
図１は、本発明に係る計数制御手法の概要を示す図である。同図に示すように、各遊技台に併設された計数機能付台間装置（以下、単に「台間装置」と記載する）は、島コントローラ経由で管理装置と接続されている。ここで、管理装置とは、台間装置、精算機、景品交換装置といった遊技店に設置された機器を管理する装置であり、島コントローラとは、周囲を通路に囲まれたスペース（遊技島）に設けられた一群の台間装置や遊技機などの装置を束ねる装置である。
【００３２】
本発明に係る計数制御手法は、台間装置が、計数を有効とするモードである計数有効モード／計数を無効とするモードである計数無効モード間のモード遷移を行う機能を備えた点に主たる特徴がある。そして、管理装置が、台間装置に対してモード遷移のトリガーとなる通知を行うことで、各台間装置のモード遷移を管理装置によって一括管理することが可能となる。
【００３３】
たとえば、管理装置が台間装置に対して閉店指示を通知すると（同図の（１）参照）、台間装置は、計数有効モードから計数無効モードへモード遷移する（同図の（２）参照）。そして、各台間装置が計数無効モードへ遷移した状態で、係員による拾い玉回収作業が実施される。
【００３４】
この拾い玉回収作業では、係員が拾い玉（遊技玉）を台間装置の計数部に投入した場合であっても（同図の（Ａ）参照）、台間装置は、遊技玉を計数せずに遊技玉回収経路へ排出する（同図の（Ｂ）参照）。
【００３５】
このように、本発明に係る計数制御手法では、計数機能付台間装置の計数機能を無効とするモードを設けることとしたので、拾い玉の回収作業を効率良く行うことができる。また、店側の都合に合わせて台間装置の計数機能の有効化／無効化を一括管理することができるので、遊技機や台間装置のメンテナンス時にも有用となる。
【００３６】
以下では、本発明に係る計数制御手法を適用した計数制御システムについての実施例を詳細に説明する。
【実施例】
【００３７】
図２は、本実施例に係る計数制御システム１の構成を示すブロック図である。同図に示すように、計数制御システム１は、台間装置１０と、管理装置２０とから構成される。なお、同図には、１台の台間装置１０のみを示しているが、管理装置２０には所定数の台間装置１０が島コントローラ（図１参照）経由で接続されるものとする。
【００３８】
ここで、台間装置１０の概要構成を説明するために、図３を用いて台間装置１０の外観について説明しておく。図３は、台間装置１０の外観図である。なお、同図には、台間装置１０が併設された遊技機５１を破線で示している。
【００３９】
図３に示すように、台間装置１０は、計数無効モードへの遷移時などに所定の色で点灯する状態表示ランプ４１と、遊技媒体の貸し出しのための各種紙幣を受け付ける紙幣挿入部４２と、係員が携帯するリモコン（携帯端末装置）からの指示を受け付けるリモコン受光部４３と、７セグ表示部４４ａおよびテンキーなどの操作部４４ｂで構成される表示／操作部４４とを備えている。
【００４０】
また、持ち玉等の遊技媒体を払い出すノズルを備えた持ち玉払出部４５と、計数値が記録されたり、プリペイド価値が関連付けられたりしたカードを受け付けるカード受付部４６と、持ち玉（獲得玉）を計数する計数部４７と、持ち玉（獲得玉）を貯留する玉貯留部４８とを備えている。
【００４１】
また、玉貯留部４８の前面には、持ち玉（獲得玉）の計数結果などを表示する計数表示部４９と、持ち玉を用いた遊技を指示するための持ち玉払出ボタン５０とを備えている。台間装置１０は、同図の５２に示す遊技機５１の下皿から持ち玉（獲得玉）を玉貯留部４８へ誘導し、計数部４７で持ち玉（獲得玉）の数量を計数する。なお、計数後の遊技玉は、図示しない遊技玉回収経路へ排出される。
【００４２】
そして、遊技者が、持ち玉払出ボタン５０を押下した場合には、持ち玉（獲得玉）を持ち玉払出部４５経由で遊技機５１へ投出する。なお、持ち玉払出部４５は、紙幣挿入部４２へ紙幣が挿入されたり、カード受付部４６にプリペイド価値が関連付けられたカードが挿入されて、遊技機５１の貸し出しボタンが押下された場合の払い出しも併せて行うようにしてもよい。
【００４３】
図２の説明に戻り、台間装置１０の構成について説明する。台間装置１０は、表示部１１（図３の４１および４４ａに対応）と、計数部１２（図３の４７に対応）と、遊技機Ｉ／Ｆ（インターフェース）１３と、通信Ｉ／Ｆ（インターフェース）１４と、制御部１５とを備えている。
【００４４】
また、制御部１５は、受付部１５ａと、遷移指示部１５ｂと、モード間遷移部１５ｃと、状態取得部１５ｄとをさらに備えている。なお、図２では、図３で説明した各構成要素の中から台間装置１０の特徴点を説明するために必要な構成要素のみを抜粋して示している。
【００４５】
表示部１１は、ＬＥＤ（Light  Emitting  Diode）などの発光デバイスで構成される状態表示ランプ４１と、たとえば、６桁のコードを表示する７セグ表示部４４ａとを含んでいる。そして、状態表示ランプ４１は、計数モード（たとえば、計数有効モードや計数無効モード）に応じて異なる色で発光するなどして、現在の計数モードを報知する。また、７セグ表示部４４ａには、現在の計数モードを示すコードなどが表示される。
【００４６】
計数部１２は、遊技者の持ち玉などの遊技玉を計数する計数センサと、玉貯留部４８に貯留された遊技玉を計数センサへ導く経路とから構成される。なお、計数部１２は、計数機能を無効化する機能を有しており、計数機能の無効化時には、計数センサを作動させないことで、玉貯留部４８に貯留された遊技玉を計数することなく遊技玉回収経路へ排出する。
【００４７】
なお、玉貯留部４８に貯留された遊技玉を計数センサへ導く第１の経路と、玉貯留部４８に貯留された遊技玉を計数センサを経由することなく遊技玉回収経路へ導く第２の経路と、各経路を切り替える切替部とを設け、計数機能の有効化時には第１の経路を、計数機能の無効化時には第２の回路を、それぞれ、切替部に選択させることとしてもよい。
【００４８】
遊技機Ｉ／Ｆ（インターフェース）１３は、遊技機５１／台間装置１０間のデータ送受信を行う通信デバイスである。そして、この遊技機Ｉ／Ｆ１３は、遊技機５１から、遊技機５１が特賞中であることを示す特賞パルス信号を受け取り、受け取った特賞パルス信号を制御部１５の状態取得部１５ｄへ渡す処理を行う。また、通信Ｉ／Ｆ（インターフェース）１４は、ＬＡＮカードなどの通信デバイスで構成され、ＬＡＮなどのネットワーク経由で、台間装置１０／管理装置２０間のデータ送受信を行う。
【００４９】
制御部１５は、計数モード遷移のトリガーとなる通知を管理装置２０から受け取るとともに、管理装置２０からの通知に基づいて計数モードを遷移させる処理を行う処理部である。なお、図２では、管理装置２０からの通知に基づいて計数モードを遷移させる場合について示しているが、係員による操作部４４ｂの操作や、係員が携帯するリモコン（携帯端末装置）からの指示をリモコン受光部４３が受け付けることで、計数モード遷移を行うこととしてもよい。
【００５０】
受付部１５ａは、通信Ｉ／Ｆ１４経由で管理装置２０から開店通知、閉店通知、あるいは、計数無効モード移行通知などの通知を受信する処理を行うとともに、計数モード遷移に係る通知を受信した場合には、受信した通知を遷移指示部１５ｂへ渡す処理を行う処理部である。
【００５１】
たとえば、この受付部１５ａは、開店通知を受信した場合には、台間装置を開店状態へと移行させた後に、計数有効モード移行通知を遷移指示部１５ｂへ出力する。また、受付部１５ａは、計数無効モード移行通知を受信した場合には、受信した計数無効モード移行通知をそのまま遷移指示部１５ｂへ出力する。なお、受付部１５ａは、受信した閉店通知に、閉店状態への移行後に計数無効モードへ移行する旨の指示が含まれている場合には、台間装置１０を閉店状態へと移行させた後に、計数無効モード移行通知を遷移指示部１５ｂへ出力する。
【００５２】
遷移指示部１５ｂは、受付部１５ａから計数無効モード移行通知を受け取った場合に、モード間遷移部１５ｃに対して計数無効モードへの遷移を指示するとともに、受付部１５ａから計数有効モード移行通知を受け取った場合には、モード間遷移部１５ｃに対して計数有効モードへの遷移を指示する処理部である。
【００５３】
モード間遷移部１５ｃは、計数モードの遷移を制御する処理部であり、計数無効モードへ遷移した場合には、その旨を通信Ｉ／Ｆ１４経由で管理装置２０へ通知する。ここで、このモード間遷移部１５ｃが制御する計数モードについて図４を用いて説明する。
【００５４】
図４は、計数モードのモード遷移図である。同図に示すように、計数モードには、計数部１２の計数を有効とするモードである計数有効モードと、計数部１２の計数を無効とする計数無効モードと、計数無効モードへただちに遷移できない要因がある場合に、計数無効モードへの遷移を保留するモードである保留モードとがある。
【００５５】
ここで、計数無効モードへただちに遷移できない要因とは、計数部１２が計数中である場合や、遊技機５１が特賞中である場合のことを指す。なお、以下では、計数無効モードへただちに遷移できない要因のことを、「計数無効モード遷移の阻害要因」と記載する。なお、モード間遷移部１５ｃは、遊技媒体（玉）の計数中であるか否かの情報を計数部１２から取得するとともに、遊技機５１が特賞中であるか否かの情報を状態取得部１５ｄ経由で取得する。
【００５６】
次に、各計数モード間の遷移について説明する。同図の（１）に示すように、計数有効モードから計数無効モードへ遷移するのは、計数有効モードの状態で遷移指示部１５ｂから計数無効モードへの遷移指示を受け取った場合であって、計数無効モード遷移の阻害要因がない場合である。
【００５７】
また、同図の（２）に示すように、計数有効モードから保留モードへ遷移するのは、計数有効モードの状態で遷移指示部１５ｂから計数無効モードへの遷移指示を受け取った場合であって、計数無効モード遷移の阻害要因がある場合である。
【００５８】
また、同図の（３）に示すように、保留モードから計数無効モードへ遷移するのは、計数無効モード遷移の阻害要因が解消した場合である。具体的には、計数部１２の計数処理が完了し、かつ、遊技機５１の特賞中状態が終了した場合に、保留モードから計数無効モードへ遷移する。
【００５９】
また、同図の（４）に示すように、計数無効モードから計数有効モードへ遷移するのは、計数無効モードの状態で遷移指示部１５ｂから計数有効モードへの遷移指示を受け取った場合である。
【００６０】
次に、状態取得部１５ｄについて説明する。状態取得部１５ｄは、遊技機Ｉ／Ｆ１３から遊技機５１が特賞中であるか否かの情報を取得し、取得した情報をモード間遷移部１５ｃへ通知する処理を行う処理部である。たとえば、この状態取得部１５ｄは、遊技機５１が特賞中状態となった旨をモード間遷移部１５ｃへ通知するとともに、特賞中状態が終了した場合には、その旨をモード間遷移部１５ｃへ通知する。
【００６１】
次に、管理装置２０の構成について説明する。管理装置２０は、通信Ｉ／Ｆ２１と、制御部２２と、記憶部２３と、操作部２４と、表示部２５とを備えている。また、制御部２２は、通知部２２ａと、受信部２２ｂをさらに備えており、記憶部２３は、設定情報２３ａを記憶する。なお、同図では、管理装置２０の特徴点を説明するために必要な構成要素のみを抜粋して示している。また、記憶部２２は、メモリやハードディスク装置などの記憶デバイスで構成される記憶部であり、操作部２４は、閉店処理や開店処理の開始を受け付け、表示部２５は、各種情報の表示を行う。
【００６２】
通信Ｉ／Ｆ２１は、ＬＡＮカードなどの通信デバイスで構成され、ネットワーク経由で、管理装置２０／台間装置１０間のデータ送受信を行う。制御部２２は、各台間装置１０に対して設定情報２３ａを送信する処理を行うとともに、計数無効モードへの遷移などのモード間遷移結果を台間装置１０から受信する処理を行う処理部である。
【００６３】
通知部２２ａは、記憶部２３から設定情報２３ａを読み出し、読み出した設定情報２３ａに基づき、各台間装置１０に対して通信Ｉ／Ｆ２１経由で各種通知を行う処理を行う処理部である。また、受信部２２ｂは、通信Ｉ／Ｆ２１経由で台間装置１０からモード間遷移結果を受ける処理を行う処理部である。
【００６４】
次に、図２に示した設定情報２３ａの例について図５を用いて説明する。図５は、設定情報の例を示す図である。なお、同図の（１）には、閉店指示に計数無効指示を含める場合について、同図の（２）には、閉店指示と計数無効指示とを独立させた場合について、それぞれ示している。
【００６５】
同図の（１）に示すように、閉店指示Ａは、閉店状態へ移行後、計数無効モードへ遷移する旨の指示であり、この閉店指示Ａを受けた台間装置１０は、閉店状態への移行処理を実施して自装置が閉店状態となったならば、計数無効モードへの遷移処理を実施する。また、閉店指示Ｂは、閉店状態へ移行後、計数有効モードを維持する旨の指示であり、この閉店指示Ｂを受けた台間装置１０は、閉店状態への移行処理のみを実施する。
【００６６】
たとえば、通知部２２ａは、すべての台間装置１０へ閉店指示Ａを通知することとしてもよいし、特定の台間装置１０へ閉店指示Ａを通知するとともに他の台間装置へ閉店指示Ｂを通知することしてもよい。
【００６７】
また、同図の（２）に示すように、閉店指示は、閉店状態へ移行する旨の指示であり、計数無効指示は、計数無効モードへ遷移する旨の指示である。たとえば、通知部２２ａは、まず、すべての台間装置１０へ閉店指示を通知した後に、すべての台間装置１０へ計数無効指示を通知する。なお、すべての台間装置１０へ閉店指示を通知した後に、特定の台間装置１０に対してのみ計数無効指示を送信することとしてもよい。
【００６８】
次に、閉店処理時に計数制御システム１の各装置が実行する処理手順について図６を用いて説明する。図６は、閉店処理時に計数制御システム１の各装置が実行する処理手順を示すフローチャートである。なお、同図では、管理装置２０が、図５の（１）に示した「閉店指示Ａ」を閉店通知として台間装置１０へ通知する場合について示している。
【００６９】
同図に示すように、管理装置２０は、閉店処理を開始したか否かを判定し（ステップＳ１０１）、閉店処理を開始した場合には（ステップＳ１０１，Ｙｅｓ）、台間装置１０へ閉店通知を送信したうえで（ステップＳ１０２）、閉店時の決算処理などの閉店処理を実行する（ステップＳ１０３）。なお、ステップＳ１０１の判定条件を満たさない場合には（ステップＳ１０１，Ｎｏ）、ステップＳ１０１の処理を繰り返す。
【００７０】
一方、台間装置１０は、閉店通知を受信したか否かを判定し（ステップＳ１０４）、閉店通知を受信した場合には（ステップＳ１０４，Ｙｅｓ）、モード間遷移部１５ｃが、計数部１２が計数中であるか否か、遊技機５１が特賞中であるか否かの状態確認を行う（ステップＳ１０５）。なお、ステップＳ１０４の判定条件を満たさなかった場合には（ステップＳ１０４，Ｎｏ）、ステップＳ１０４の処理を繰り返す。
【００７１】
そして、非計数中かつ非特賞状態である場合には（ステップＳ１０６，Ｙｅｓ）、計数無効モードへ遷移する（ステップＳ１０９）。一方、計数中または特賞状態である場合には（ステップＳ１０６，Ｎｏ）、保留モードへ遷移する（ステップＳ１０７）。つづいて、保留モード解除条件が成立するまで待ち合わせたうえで（ステップＳ１０８，Ｎｏ）、保留モード解除条件が成立したならば（ステップＳ１０８，Ｙｅｓ）、計数無効モードへ遷移する（ステップＳ１０９）。なお、ステップＳ１０８における「保留モード解除条件」とは、計数部１２が計数中でなはなく、かつ、遊技機５１が特賞中ではないことを示す。
【００７２】
次に、開店処理時に計数制御システム１の各装置が実行する処理手順について図７を用いて説明する。図７は、開店処理時に計数制御システム１の各装置が実行する処理手順を示すフローチャートである。
【００７３】
同図に示すように、管理装置２０は、開店処理を開始したか否かを判定し（ステップＳ２０１）、開店処理を開始した場合には（ステップＳ２０１，Ｙｅｓ）、台間装置１０へ開店通知を送信したうえで（ステップＳ２０２）、開店時の初期処理などの開店処理を実行する（ステップＳ２０３）。なお、ステップＳ２０１の判定条件を満たさない場合には（ステップＳ２０１，Ｎｏ）、ステップＳ２０１の処理を繰り返す。
【００７４】
一方、台間装置１０は、開店通知を受信したか否かを判定し（ステップＳ２０４）、開店通知を受信した場合には（ステップＳ２０４，Ｙｅｓ）、計数有効モードへ遷移する（ステップＳ２０５）。なお、ステップＳ２０４の判定条件を満たさなかった場合には（ステップＳ２０４，Ｎｏ）、ステップＳ２０４の処理を繰り返す。
【００７５】
ところで、これまでは、管理装置２０からの通知に基づいて台間装置１０が計数無効モードへ遷移する場合について説明してきたが、台間装置１０に対する直接的な操作または指示によって計数無効モードへ遷移させることとしてもよい。そこで、以下では、直接的な操作または指示を受け付ける台間装置１０ａについて説明する。なお、以下の説明では、図２における台間装置１０の各構成要素と対応する構成要素には同一の符号を付し、内容が異なる点についてのみ説明することとする。
【００７６】
図８は、台間装置１０の変形例を示す図である。同図に示すように、変形例に係る台間装置１０ａは、操作部１６経由で計数無効モードへの遷移指示を受け付ける点で図２に示した台間装置１０とは異なる。
【００７７】
ここで、操作部１６は、図３に示した操作部４４ｂに対応しており、係員が計数無効モードへの遷移指示に対応する所定のコードを入力した場合に、その旨を制御部１５の受付部１５ａへ通知する。このようにすることで、計数有効モードの台間装置１０ａを、その場にいる係員による操作で計数無効モードへ遷移させるので、必要な台間装置１０ａのみを計数無効モードへ遷移させることができ、利便性が向上する。
【００７８】
また、計数有効モードへ復帰させる場合には、あらためて計数有効モードへの遷移指示や有効モードへの復帰指示を操作入力する。なお、計数無効モードの存続時間を制限するようにしてもよい。具体的には、所定時間（たとえば、１０秒程度）、「１回限り」の玉投入の間だけ計数無効モードとなるように設定しておき、所定時間が経過すると計数有効モードへ自動復帰する。なお、上記した「１回限り」の場合は、計数無効モードにおいては計数を行わないが、玉の通過をチェックする必要がある。
【００７９】
なお、図８では、操作部１６経由で計数無効モードへの遷移指示を入力させる場合について示したが、係員が携帯するリモコン（携帯端末装置）から計数無効モードへの遷移指示を受け付けることとしてもよい。この場合、係員が計数無効モードへの遷移指示に対応するリモコン上の所定のボタンを押下したならば、図４に示したリモコン受光部４３が遷移指示を受信し、その旨を制御部１５の受付部１５ａへ通知することになる。
【００８０】
また、計数有効モードへ復帰させる場合には、あらためて計数有効モードへの遷移指示や有効モードへの復帰指示をリモコン入力する。なお、計数無効モードの存続時間を制限するようにしてもよい。具体的には、所定時間（たとえば、１０秒程度）、「１回限り」の玉投入の間だけ計数無効モードとなるように設定しておき、所定時間が経過すると計数有効モードへ自動復帰する。なお、上記した「１回限り」の場合は、計数無効モードにおいては計数を行わないが、玉の通過をチェックする必要がある。
【００８１】
上述してきたように、本実施例では、管理装置では、通知部が、台間装置に対して所定の通知を行い、台間装置では、計数部が、自装置に対応する遊技台で遊技者が獲得した遊技媒体を計数し、モード間遷移部が、計数を有効とする計数有効モードおよび計数を無効とする計数無効モードのモード間遷移を行うこととしたうえで、管理装置から所定の通知を受け付けた場合に、遷移指示部が、計数有効モードから計数無効モードへ遷移するように指示することとしたので、管理装置からの指示で台間装置を計数無効モードへ遷移させることによって、各台計数方式を採用した場合に、拾い玉回収作業を効率良く行うことができる。
【００８２】
なお、上述した実施例では、計数部が接続された台間装置に本発明を適用した場合について説明したが、台間装置と接続されない各台計数機に本発明を適用することとしてもよい。
【産業上の利用可能性】
【００８３】
以上のように、本発明に係る各台対応装置、計数制御システムおよび計数制御方法は、各台計数方式を採用した場合における計数制御に有用であり、特に、拾い玉回収作業を効率良く行いたい場合に適している。
【図面の簡単な説明】
【００８４】
【図１】本発明に係る計数制御手法の概要を示す図である。
【図２】本実施例に係る計数制御システムの構成を示すブロック図である。
【図３】台間装置の外観図である。
【図４】計数モードのモード遷移図である。
【図５】設定情報の例を示す図である。
【図６】閉店処理時に計数制御システムの各装置が実行する処理手順を示すフローチャートである。
【図７】開店処理時に計数制御システムの各装置が実行する処理手順を示すフローチャートである。
【図８】台間装置の変形例を示す図である。
【符号の説明】
【００８５】
１    計数制御システム
１０、１０ａ  台間装置
１１    表示部
１２    計数部
１３    遊技機Ｉ／Ｆ
１４    通信Ｉ／Ｆ
１５    制御部
１５ａ  受付部
１５ｂ  遷移指示部
１５ｃ  モード間遷移部
１５ｄ  状態取得部
２０    管理装置
２１    通信Ｉ／Ｆ
２２    制御部
２２ａ  通知部
２２ｂ  受信部
２３    記憶部
２３ａ  設定情報
２４    操作部
２５    表示部
４１    状態表示ランプ
４２    紙幣挿入部
４３    リモコン受光部
４４    表示／操作部
４４ａ  ７セグ表示部
４４ｂ  操作部
４５    持ち玉払出部
４６    カード受付部
４７    計数部
４８    玉貯留部
４９    計数表示部
５０    持ち玉払出ボタン
５１    遊技機
【図１】
0005283426.tif 000002
【図２】
0005283426.tif 000003
【図３】
0005283426.tif 000004
【図４】
0005283426.tif 000005
【図５】
0005283426.tif 000006
【図６】
0005283426.tif 000007
【図７】
0005283426.tif 000008
【図８】
0005283426.tif 000009